(57)【要約】【課題】室内の静粛性を損なわず、逆風を確実に遮断し、かつ耐久性に優れたダクト用逆止弁１０を提供すること。【解決手段】各ダクト用逆止弁１０Ａ〜１０Ｄは、順風のとき空気がほぼ全周を筒体１１に固着して開いた袋口１２ａから袋１２内に入り、下端部を筒体１１に固着した袋口１２ｂを広げて進入する。一方、逆風のとき下端部を筒体１１に固着した袋口１２ｂが萎んで閉じてしまうため、空気の流れが阻止される。このように、各ダクト用逆止弁１０Ａ〜１０Ｄはほぼ全周を固着した袋口１２ａから下端部を固着した袋口１２ｂへ向かう空気の流れを許容し、その逆方向の空気の流れを阻止する逆止弁として機能する。【選択図】  図２
2004293940.tif 000002
【特許請求の範囲】
【請求項１】
両端を開口した筒体と、両端を開口した軟質プラスチックフィルム製の袋を備え、前記筒体に前記袋を入れて、袋の一方の袋口が筒体の内周面に沿って開くように袋口のほぼ全周を筒体の一方の開口端近辺の内周面に固着し、袋の他方の袋口の下端部を筒体の他方の開口端近辺に固着したことを特徴とするダクト用逆止弁。
【請求項２】
前記筒体を両端開口の中筒と、この中筒の両端に嵌着した一対の蓋筒で構成し、各蓋筒の中間部内周面にリング状凸条を形成し、前記袋の袋口をリング状凸条と中筒の開口端部で挟持して固着することを特徴とする請求項１に記載のダクト用逆止弁。
【発明の詳細な説明】
【０００１】
【発明の属する技術分野】
ダクト用逆止弁に関する。
【０００２】
【従来の技術】
一般に、暖房や冷房の効率を良くするため高気密構造を採用した住宅にあっては、ファンを用いて強制的に新鮮な外気を室内に導入したり、汚れた内気を強制的に室外に排出する機械換気システムを備えている。このような機械換気システムでは、外風が給気口や排気口に対し逆風となる場合、その風力がファンの出力を上回ると換気が行われない。そこで、給排気口に連通するダクト中に逆止弁を設置し、逆風の影響を排除している。
従来、この種の逆止弁には円板形の弁体を軸に回動可能に組み付けたダンパ式逆止弁が使用されている。
【０００３】
【発明が解決しようとする課題】
ダンパ式逆止弁は弁体回動時にパタパタ音が発生し、室内の静粛性が損なわれる。また、弁体が円滑に回動するように弁体とダクトの間に隙間を設けるので、逆風の影響を確実に除外することはできない。さらに、軸支持部の劣化により作動不良をきたし易い。
本発明はかかる問題点に鑑み、室内の静粛性を損なわず、逆風を確実に遮断し、かつ耐久性に優れたダクト用逆止弁を提供することを目的とする。
【０００４】
【課題を解決するための手段】
上記目的を達成するため、本発明に係るダクト用逆止弁は、両端を開口した筒体と、両端を開口した軟質プラスチックフィルム製の袋を備え、前記筒体に前記袋を入れて、袋の一方の袋口が筒体の内周面に沿って開くように袋口のほぼ全周を筒体の一方の開口端近辺の内周面に固着し、袋の他方の袋口の下端部を筒体の他方の開口端近辺に固着したことを特徴とする。
そして、好ましくは、前記筒体を両端開口の中筒と、この中筒の両端に嵌着した一対の蓋筒で構成し、各蓋筒の中間部内周面にリング状凸条を形成し、前記袋の袋口をリング状凸条と中筒の開口端部で挟持して固着する。
【０００５】
【発明の作用・効果】
本発明に係るダクト用逆止弁は、順風のとき空気がほぼ全周を筒体に固着して開いた袋口から袋内に入り、下端部を筒体に固着した袋口を広げて進入する。一方、逆風のとき下端部を筒体に固着した袋口が萎んで閉じてしまうため、空気が流れなくなる。このように、本発明に係るダクト用逆止弁はほぼ全周を固着した袋口から下端部を固着した袋口へ向かう空気の流れを許容し、その逆方向の空気の流れを阻止する逆止弁として機能する。
しかして、本発明に係るダクト用逆止弁によれば、軟質プラスチック製袋を筒体に内蔵した極めて簡単な構造で逆止弁の機能を果たし、従来のダンパ式逆止弁のように円板形の弁体や、それを支持する軸を必要としないので、パタパタ音も発生せず、また可動部の劣化による作動不良も発生しない。このため、室内の静粛性を損なわず、高い耐久性を発揮できる。
筒体を中筒と蓋筒で構成することにより、袋の組み付け作業が簡単になり、低コストで製造できるうえ、分解修理が極めて容易に実施できる。
【０００６】
【発明の実施の形態】
以下に本発明を図面に基づき説明するに、図１及び図２には本発明の一実施形態に係るダクト用逆止弁１０が示されている。当該逆止弁１０は、両端を開口した硬質プラスチック製の筒体１１と、この筒体１１に内蔵した両端を開口した軟質プラスチックフィルム製の袋１２を備えている。筒体１１は中筒１３と、この中筒１３の両端開口に被せた蓋筒１４，１５から構成され、蓋筒１４，１５の中間部内周面にはリング状の凸条１４ａ，１５ａが一体成形されている。袋１２の一方の袋口１２ａはその全周を折り返して中筒１１の一方の開口端に被せ、その上から蓋筒１４を中筒１３の開口端に嵌着し、中筒１３の開口端と蓋筒１４のリング状の凸条１４ａで挟持して筒体１１の内周面に固着されている。また、他方の袋口１２ｂはその下端部を折り返して中筒１３の開口端に被せ、その上から蓋筒１５を中筒１３の開口端に嵌着し、中筒１３の開口端と蓋筒１５のリング状の凸条１５ａで挟持して筒体１１の内周面に固着されている。筒体１１に固着される袋口１２ｂの下端部の長さは袋口１２ｂの全周のほぼ１／４に相当する。
【０００７】
図に、本実施形態に係るダクト用逆止弁１０を備えた住宅用換気システム２０の概略構造が示されている。当該換気システム２０は給気ダクト２１、排気ダクト２２、熱交換機２３、内気吸い込み口２４、空気吹き出し口２５を備え、各ダクト２１，２２と内気吸い込み口２４及び空気吹き出し口２５がそれぞれ熱交換機２３に接続されている。内気吸い込み口２４は床下に設置され、空気吹き出し口２５は屋根裏に設置されている。
【０００８】
給気ダクト２１の両端開口部には給気ダクト用逆止弁１０Ａ，１０Ｂが、全周を筒体１１に固着した袋口１２ａが給気口２６側に位置するように組み込まれている。また、排気ダクト２２の両端開口部には排気ダクト用逆止弁１０Ｃ，１０Ｄが、全周を固着した袋口１２ａが排気口２７側に位置するように組み込まれている。
【０００９】
住宅用換気システム２０の概略構造は以上の通りであって、屋外の新鮮な空気が給気口２６から給気ダクト２１を通って熱交換機２３へと導入され、熱交換後、空気吹き出し口２５から屋根裏に送風され、屋根裏から室内を通って床下へと流れる。一方、汚れた内気は床下の内気吸い込み口２４から熱交換機へと導入され、熱交換後、排気ダクト２２を通って排気口２７から屋外へ排気される。
【００１０】
各ダクト用逆止弁１０Ａ〜１０Ｄでは、順風のとき空気がほぼ全周を筒体１１に固着して開いた袋口１２ａから袋１２内に入り、下端部を筒体１１に固着した袋口１２ｂを広げて進入する。一方、逆風のとき下端部を筒体１１に固着した袋口１２ｂが萎んで閉じてしまうため、空気の流れが阻止される。このように、各ダクト用逆止弁１０Ａ〜１０Ｄはほぼ全周を固着した袋口１２ａから下端部を固着した袋口１２ｂへ向かう空気の流れを許容し、その逆方向の空気の流れを阻止する逆止弁として機能する。従って、風向Ａのとき、給気ダクト用逆止弁１０Ａと排気ダクト用逆止弁１０Ｄが開き、給気ダクト用逆止弁１０Ｂと排気ダクト用逆止弁１０Ｃが閉じた状態となるので、外気は給気ダクト用逆止弁１０Ａから導入され、内気が排気ダクト用逆止弁１０Ｄから排出される。一方、風向Ｂのとき、給気ダクト用逆止弁１０Ｂと排気ダクト用逆止弁１０Ｃが開き、給気ダクト用逆止弁１０Ａと排気ダクト用逆止弁１０Ｄが閉じた状態となるので、外気は給気ダクト用逆止弁１０Ｂから導入され、内気が排気ダクト用逆止弁１０Ｃから排出される。
【００１１】
本実施形態に係るダクト用逆止弁１０は、軟質プラスチック製袋１２を筒体１１に内蔵した極めて簡単な構造で逆止弁の機能を果たし、従来のダンパ式逆止弁のように円板形の弁体や、それを支持する軸を必要としないので、パタパタ音も発生せず、また可動部の劣化による作動不良も発生しない。このため、室内の静粛性を損なわず、高い耐久性を発揮できる。
【００１２】
筒体１１を中筒１３と蓋筒１４，１５で構成したので、袋１２の組み付け作業が簡単になり、低コストで製造できるうえ、分解修理が極めて容易に実施できる。
【図面の簡単な説明】
【図１】本発明の一実施形態に係るダクト用逆止弁を示す斜視図である。
【図２】同ダクト用逆止弁を示す縦断断面図である。
【図３】同ダクト用逆止弁を備えた住宅用換気システムの概略構造を示す説明図である。
【符号の説明】
１０…ダクト用逆止弁、１１…筒体、１２…袋、１２ａ，１２ｂ…袋口、１３…中筒、１４，１５…蓋筒、１４ａ，１５ａ…リング状凸条。
【図１】
2004293940.tif 000003
【図２】
2004293940.tif 000004
【図３】
2004293940.tif 000005